(57)【要約】【課題】  各温風吐出口からの吹き出される温風の温度にバラツキがなく、均一な温度の温風を吹き出すようにする。【解決手段】  ヒータボックス３内の下部にヒータ熱源５を設け、ヒータボックス３の下部にエア入り口９、１１を設けると共にヒータボックス３の上部に適数の温風吐出口７を設けてなる温風均一化装置１であって、前記ヒータボックス３内のヒータ熱源５の上部に温度均一化手段１３、１５を設けてなることを特徴とする。【選択図】図１
2006125714.tif 000002
【特許請求の範囲】
【請求項１】
ヒータボックス内の下部にヒータ熱源を設け、ヒータボックスの下部にエア入り口を設けると共にヒータボックスの上部に適数の温風吐出口を設けてなる温風均一化装置であって、前記ヒータボックス内のヒータ熱源の上部に温度均一化手段を設けてなることを特徴とする温風均一化装置。
【請求項２】
前記温度均一化手段が前記ヒータボックスの左右の側壁を支点として開閉可能な仕切版が対向して設けられていることを特徴とする請求項１記載の温風均一化装置。
【請求項３】
前記温風吐出口に温度センサが備えられていることを特徴とする請求項１または２記載の温風均一化装置。
【請求項４】
ヒータボックスの上方に載置された被乾燥物を乾燥した温風を配管を介してブロアで前記エア入り口に回収するべく構成されていることを特徴とする請求項１、２または３記載の温風均一化装置。
【発明の詳細な説明】
【技術分野】
【０００１】
この発明は、温風を均一化させるための温風均一化装置に関する。
【背景技術】
【０００２】
従来、熱風を均一化させるための温風均一化装置１０１としては、図４および図５に示されているように、ヒータボックス１０３内の下部にヒータ熱源としてのコイルヒータ１０５が前後方向に３列設けられ、ヒータボックス１０３の上面に複数の温風吐出口１０７が例えば円周上に適宜な間隔で設けられている。前記ヒータボックス１０３の前部左側の下部にはエア入り口１０９が設けられていると共に前記ヒータボックス１０３の後部右側の下部にはエア入り口１１１が設けられている。
【０００３】
上記構成により、エア入り口１０９、１１１よりエアがヒータボックス１０３内に供給されてヒータボックス１０３内の下部に設けられたコイルヒータ１０５より温風が発生し、この発生した温風が上方へ流れて前記各温風吐出口１０７より温風が吐出され、各温風吐出口１０７の上方に設けられた非乾燥物を乾燥させていた。
【特許文献１】特開平４ー１０９０９４号公報
【発明の開示】
【発明が解決しようとする課題】
【０００４】
ところで、上述した従来の温風均一化装置では、温風を非乾燥物に吹き付ける場合、ヒータボックス１０３内の温風の対流が均一でなく、各温風吐出口１０７の温度にバラツキがある。すなわち、エア入り口１０９、１１１側からコイルヒータ１０５で加熱された温風がそのまま複数の温風吐出口１０７からでてしまう。そのため、混合率が低いという問題があった。
【０００５】
この発明は上述の課題を解決するためになされたものである。
【課題を解決するための手段】
【０００６】
上記発明が解決しようとする課題を解決するためにこの発明の温風均一化装置は、ヒータボックス内の下部にヒータ熱源を設け、ヒータボックスの下部にエア入り口を設けると共にヒータボックスの上部に適数の温風吐出口を設けてなる温風均一化装置であって、前記ヒータボックス内のヒータ熱源の上部に温度均一化手段を設けてなることを特徴とする温風均一化装置ものである。
【０００７】
この発明の温風均一化装置は、前記温風均一化装置において、前記温度均一化手段が前記ヒータボックスの左右の側壁を支点として開閉可能な仕切版が対向して設けられていることが好ましい。
【０００８】
この発明の温風均一化装置は、前記温風均一化装置において、前記温風吐出口に温度センサが備えられていることが好ましい。
【０００９】
この発明の温風均一化装置は、前記温風均一化装置において、ヒータボックスの上方に載置された被乾燥物を乾燥した温風を配管を介してブロアで前記エア入り口に回収するべく構成されていることが好ましい。
【発明の効果】
【００１０】
以上のごとき課題を解決するための手段の説明から理解されるように、この発明によれば、前記ヒータボックス内のヒータ熱源の上部に温度均一化手段を設けたことにより、ヒータボックス内の上部で温風の対流が均一となり、適数の温風吐出口から吐出される温度を均一することができる。  
【発明を実施するための最良の形態】
【００１１】
以下、この発明の実施の形態について図面を参照して詳細に説明する。
【００１２】
図１および図２を参照するに、温風均一化装置１としては、例えば箱形状のヒータボックス３が備えられている。このヒータボックス３内の下部にはヒータ熱源としての例えばコイルヒータ５が前後方向に３列設けられている。前記ヒータボックス３の上面には複数の温風吐出口７が例えば円周上に適宜な間隔で設けられている。前記ヒータボックス３の前部左側の下部にはエア入り口９が設けられていると共に前記ヒータボックス３の後部右側の下部にはエア入り口１１が設けられている。
【００１３】
前記ヒータボックス３内の下部に設けられたヒータ熱源としてのコイルヒータ１０５の上方たとえばヒータボックス３の高さの中央部から下方に温度均一化手段としての例えば２本の中間仕切り板１３、１５が相対向して設けられている。より詳細には、前記ヒータボックス３の左右の側壁３Ｌ、３Ｒ側には前後方向へ延伸されたシャフト１７、１９が回転可能に取り付けられている。このシャフト１７、１９にはそれぞれ前記中間仕切り板１３、１５の一端が取り付けられていると共に中間仕切り板１３、１５の他端は僅かな隙間を開けて設けられている。そして、前記シャフト１７、１９の前端、後端には駆動モータ２１、２３が取り付けられている。また、前記各温風吐出口７には温度センサ２５が設けられている。
【００１４】
上記構成により、駆動モータ２１、２３をそれぞれ駆動せしめると、シャフト１７が図１において反時計回りに回動されることで中間仕切り板１３が同方向へ回動されると共に、シャフト１９が図１において時計回りに回動されることで中間仕切り板１５が同方向へ回動されるになる。
【００１５】
したがって、エア入り口９、１１からエアがそれぞれヒータボックス３内に供給される。この状態で図示省略の電源により前記コイルヒータ５が加熱されると、中間仕切り板１３、１５の下方のヒータボックス３内が一定の温度に上昇される。そして、中間仕切り板１３、１５をぞぞれ同期をとって上方へ回動させると、中間仕切り板１３と中間仕切り板１５との間の隙間Ｋが調整される。この隙間Ｋの調整により中間仕切り板１３、１５の下方のヒータボックス３内の温風が隙間Ｋをとおって上方へ流れて、対流の効果を受けて中間仕切り板１３、１５の上方におけるヒータボックス３内の温度が均一に調整されることになる。さらに、中間仕切り板１３、１５の上方におけるヒータボックス３内の温風はヒータボックス３の上面に設けられた複数の温風吐出口７より上方へ均一温度を有した温風が吹き出されることで図示省略の例えばフレキシブル基板の被乾燥物の表面に吹き付けられて均一な乾燥を行うことができる。
【００１６】
しかも、各温風吐出口７には温度センサ２５が設けられているから各温風吐出口７から吹き出される温風の温度を検出することができるので、均一な温度になっているかをチエックすることができる。もし、各温風吐出口７からの吹き出される温風の温度にバラツキがあった場合には、中間仕切り板１３、１５の開きの調整すなわち、中間仕切り板１３、１５の位置を制御をすることで温風の温度のバラツキを均一に調整することができる。
【００１７】
図３には図１に代わる他の実施の形態が示されている。図３において、図１における部品と同一の部品には同じ符号を付して重複する説明を省略する。
【００１８】
図３において、温度均一化装置１の左右両側には支柱２７が立設され、この支柱２７上には被乾燥物Ｗを乾燥するための乾燥ボックス２９が設けられている。この乾燥ボックス２９の左右下部には配管３１、３３の一端が設けられていると共に配管３１、３３の他端がそれぞれ前記エア入り口９、１１に接続されている。そして、配管３１、３３の途中にブロア３５、３７が設けられている。  
上記構成により、各温風吐出口７からの吹き出される温風が被乾燥物Ｗに吹き付けられる。そのときの各温度ｔ１、ｔ２、・・ｔ８はｔ１＝ｔ２、・・＝ｔ８と一定で、しかも、被乾燥物Ｗに吹き付けられた温風は、配管３１、３３をとおり、さらにブロア３５、３７で温風がヒータボックス３の下部に供給されるので、コイルヒータ１０５の加熱温度を上記の図１のときより上げることなく、同じ温度にすることができる。したがって、熱効率の向上を図ることができる。
【図面の簡単な説明】
【００１９】
【図１】この発明の温風均一化装置の正面断面図である。
【図２】図１の平面図である。
【図３】図１に代わる他の実施形態の温風均一化装置の正面断面図である。
【図４】従来の温風均一化装置の正面断面図である。
【図５】図４の平面図である。
【符号の説明】
【００２０】
１  温風均一化装置
３  ヒータボックス
５  コイルヒータ（ヒータ熱源）
７  温風吐出口
９、１１  エア入り口
１３、１５  中間仕切版（温風均一化手段）
１７、１９  シャフト
２１、２３  駆動モータ
２５  温度センサ
２７  支柱
２９  乾燥ボックス
３１、３３  配管
３５、３７  ブロワ
【図１】
2006125714.tif 000003
【図２】
2006125714.tif 000004
【図３】
2006125714.tif 000005
【図４】
2006125714.tif 000006
【図５】
2006125714.tif 000007